(57)【要約】【課題】コストの上昇を抑えて、すっきりとした外観を付与できるとともに、雨水等の侵入を防止できる窓サッシを提供すること。【解決手段】窓サッシ１は、上枠１１および左右の上窓側縦枠１２を有する上窓１０と、下枠２１および左右の下窓側縦枠２２を有する下窓２０とを備える。上窓１０および下窓２０は、上窓側縦枠１２の下端部と下窓側縦枠２２の上端部とが、左右のそれぞれにおいて互いに突き合わされるように配置される。上窓側縦枠１２および下窓側縦枠２２の突合部分Ａの間には、無目部材３０が掛け渡される。無目部材３０は、その上側に上窓１０の下枠となる上窓部３２が形成され、その下側に下窓２０の上枠となる下窓部３３が形成される。突合部分Ａの窓外側には、上窓側縦枠１２および下窓側縦枠２２の接合を補強する補強板５０が設けられる。【選択図】  図５
2006219831.tif 000002
【特許請求の範囲】
【請求項１】
上下複数段の窓を有する段窓用の窓サッシであって、
各段の窓に対応して設けられた左右の縦枠と、最上段の窓の上枠と、最下段の窓の下枠と、を備え、
上下に隣接する窓のうち上段側の窓の左右の縦枠の下端部と、下段側の窓の左右の縦枠の上端部とがそれぞれ互いに突き合わされるように配置され、
左側の縦枠が突き合された部分と、右側の縦枠が突き合わされた部分との間に掛渡された無目部材を更に備え、
前記無目部材が前記上段側の窓の下枠を構成するとともに、前記下段側の窓の上枠を構成することを特徴とする窓サッシ。
【請求項２】
前記縦枠が突き合された窓内側の部分には、前記無目部材の端部が嵌合する凹部が形成されていることを特徴とする請求項１に記載の窓サッシ。
【請求項３】
前記縦枠が突き合わされた窓外側の部分には、前記上段側の窓の縦枠と前記下段側の窓の縦枠との接合を補強するための補強部材が設けられ、この補強部材は、両縦枠と前記無目部材とに固定されていることを特徴とする請求項１または２に記載の窓サッシ。
【請求項４】
前記補強部材と、前記上段側の窓の縦枠および前記下段側の窓の縦枠とを固定するための第１ねじ部材と、
前記補強部材と前記無目部材とを前記縦枠を貫通して固定するための第２ねじ部材とを備えることを特徴とする請求項３に記載の窓サッシ。
【請求項５】
前記補強部材には、前記第１ねじ部材を挿通するための第１ねじ孔と、前記第２ねじ部材を挿通するための第２ねじ孔とが形成され、
前記第１ねじ孔および第２ねじ孔は、それぞれ複数種類の前記縦枠に対応して複数形成されていることを特徴とする請求項４に記載の窓サッシ。
【請求項６】
前記第２ねじ部材は、皿ねじであり、
前記第２ねじ孔は、前記皿ねじの頭部形状に対応したテーパ面を有することを特徴とする請求項５に記載の窓サッシ。
【発明の詳細な説明】
【技術分野】
【０００１】
本発明は、窓サッシに関し、特に、コストの上昇を抑えて、すっきりとした外観を付与できるとともに、雨水等の侵入を防止できる窓サッシに関する。
【背景技術】
【０００２】
従来、いわゆるサンルーム等の窓サッシには、例えば、特許文献１に示すように、上下左右枠を枠組した上窓と、上下左右枠を枠組みした下窓とを横中骨で連結したものが用いられる場合がある。このような窓サッシによれば、例えば、上窓を引き違い窓とするとともに、下窓をＦｉｘ窓等として、上下窓を異なる形態とすることができ、窓のバリエーションを高めることができる。
【特許文献１】特公昭６３−４７８７４号公報
【発明の開示】
【発明が解決しようとする課題】
【０００３】
しかしながら、上記窓サッシでは、上窓と下窓との間に、上窓の下枠と、横中骨と、下窓の上枠との合計３本の横架材が配置されることになるため、部材点数が多くなってコスト高につながるとともに、窓開口部の面積が小さくなって外観をすっきりさせることができない。また、これらの横架材の間に生じた隙間を介して内部に雨水等が侵入する場合がある。
【０００４】
本発明の目的は、コストの上昇を抑えて、すっきりとした外観を付与できるとともに、雨水等の侵入を防止できる窓サッシを提供することにある。
【課題を解決するための手段】
【０００５】
本発明は、上下複数段の窓を有する段窓用の窓サッシであって、各段の窓に対応して設けられた左右の縦枠と、最上段の窓の上枠と、最下段の窓の下枠と、を備え、上下に隣接する窓のうち上段側の窓の左右の縦枠の下端部と、下段側の窓の左右の縦枠の上端部とがそれぞれ互いに突き合わされるように配置され、左側の縦枠が突き合された部分と、右側の縦枠が突き合わされた部分との間に掛渡された無目部材を更に備え、前記無目部材が前記上段側の窓の下枠を構成するとともに、前記下段側の窓の上枠を構成することを特徴とする。
【０００６】
本発明によれば、無目部材が、上段側の窓の下枠を構成するとともに、下段側の窓の上枠を構成するため、各窓ごとに上枠や下枠を設ける場合に比べて、部材点数を減少させて、無目部材の断面寸法を小さくできる。このため、コストを抑えることができるとともに、窓サッシの開口面積を大きくでき、窓サッシの外観をすっきりさせることができる。また、複数の横架材を接合しなくてよいため、隙間等が生じず雨水等の侵入も防止できる。
【０００７】
また、前記縦枠が突き合された窓内側の部分には、前記無目部材の端部が嵌合する凹部が形成されていてもよい。このような構成によれば、凹部に無目部材の端部を嵌合することにより、無目部材の位置決めが容易となる。
【０００８】
以上の窓サッシにおいて、前記縦枠が突き合わされた窓外側の部分には、前記上段側の窓の縦枠と前記下段側の窓の縦枠との接合を補強するための補強部材が設けられ、この補強部材は、両縦枠と前記無目部材とに固定されていてもよい。このような構成によれば、上段側の窓の縦枠と下段側の窓の縦枠とを強固に接合することができ、窓サッシの強度を高めることができる。
【０００９】
ここで、前記補強部材と、前記上段側の窓の縦枠および前記下段側の窓の縦枠とを固定するための第１ねじ部材と、前記補強部材と前記無目部材とを前記縦枠を貫通して固定するための第２ねじ部材とを備える構成としてもよい。
【００１０】
この際、前記補強部材には、前記第１ねじ部材を挿通するための第１ねじ孔と、前記第２ねじ部材を挿通するための第２ねじ孔とが形成され、前記第１ねじ孔および第２ねじ孔は、それぞれ複数種類の前記縦枠に対応して複数形成されていてもよい。このような構成によれば、１つの補強部材で複数種類の縦枠に対応でき、汎用性を向上できる。
【００１１】
前記窓サッシにおいて、前記第２ねじ部材は、皿ねじであり、前記第２ねじ孔は、前記皿ねじの頭部形状に対応したテーパ面を有していてもよい。このような構成によれば、第２ねじ孔にテーパ面を形成したので、このテーパ面に沿って皿ねじの頭部が納まることにより皿ねじの位置が固定されるため、窓サッシを組み立て際のがたつきや位置ずれ等を抑えることができる。
【発明の効果】
【００１２】
本発明の窓サッシによれば、コストの上昇を抑えて、すっきりとした外観を付与できるとともに、雨水等の侵入を防止できるという効果がある。
【発明を実施するための最良の形態】
【００１３】
以下、本発明の一実施形態に係る窓サッシについて図面を参照して説明する。
図１は、本実施形態に係る窓サッシ１を示す正面図である。図１に示すように、窓サッシ１は、最上段の窓に対応する上窓１０と、最下段の窓に対応する下窓２０との２段の窓からなる段窓であり、例えばサンルーム等に適用されている。上窓１０は、例えばＦｉｘ窓として構成され、上枠１１および左右の上窓側縦枠１２が三方枠組みされた枠体１３と、枠体１３内に設置されるガラス等の面材１４とを備えている。下窓２０は、例えば引き違い窓として構成され、下枠２１および左右の下窓側縦枠２２が三方枠組みされた枠体２３と、枠体２３内に設置される例えば２枚の障子２４とを備えている。なお、左右の上窓側縦枠１２は、本発明の左右の上段側の窓の縦枠に対応し、左右の下窓側縦枠２２は、本発明の左右の下段側の窓の縦枠に対応している。
【００１４】
枠体１３，２３は、上窓側縦枠１２の下端部と下窓側縦枠２２の上端部とが互いに突き合わされるように配置されている。また、左側の上窓側縦枠１２および下窓側縦枠２２が突き合わされた部分である突合部分Ａ（ＡＬ）と、右側の上窓側縦枠１２および下窓側縦枠２２が突き合わされた部分である突合部分Ａ（ＡＲ）との間には、上枠１１や下枠２１と略平行な無目部材３０が掛け渡されている。
【００１５】
図２は、上窓側縦枠１２を示す横断面図であり、左側の上窓側縦枠１２のみを示している。図２に示すように、上窓側縦枠１２は、縦枠本体１５と、縦枠本体１５から窓外側（面内外側：図中左側）へ突出し、柱２に当接する複数の当接ヒレ部１６とを備えている。最も室外側（図中上側）となる当接ヒレ部１６には、柱２のコーナー部２Ａを覆う被覆部１６Ａが形成され、柱２と上窓側縦枠１２との隙間から光漏れがしないようになっている。他の当接ヒレ部１６は、突出寸法が互いに等しくなるように形成され、すべての当接ヒレ部１６の先端が柱２の表面に当接する。また、上窓側縦枠１２は、縦枠本体１５から窓内側（面内内側：図中右側）へ膨出し、面材１４（図１）を挟持するための一対の膨出部１７を備えている。
【００１６】
図３は、下窓側縦枠２２を示す横断面図であり、左側の下窓側縦枠２２のみを示している。図３に示すように、下窓側縦枠２２は、縦枠本体２５と、縦枠本体２５から窓外側（図中左側）へ突出し、柱２に当接する複数の当接ヒレ部２６とを備えている。前記当接ヒレ部１６と同様に、最も室外側の当接ヒレ部２６には、光漏れを防ぐための被覆部２６Ａが形成されている。また、他の当接ヒレ部２６は、前記当接ヒレ部１６の突出寸法と略同じ寸法で形成されている。このため、上窓側縦枠１２の縦枠本体１５と下窓側縦枠２２の縦枠本体２５とが上下方向に揃うように配置され、縦枠１２，２２の外観がすっきりとする。また、下窓側縦枠２２は、縦枠本体２５から、窓内側（図中右側）へ突出し、２枚の障子２４（図１）に対応した形状のヒレ部２７を備えている。
【００１７】
図４は、上窓側縦枠１２の下端部と下窓側縦枠２２の上端部とが突き合わされた突合部分Ａ（ＡＬ）を窓内側から見た分解斜視図であり、図５は、この突合部分Ａを窓外側から見た分解斜視図である。図４，図５に示すように、無目部材３０は、中空状の無目部材本体３１と、無目部材本体３１の上側に形成され、上窓１０の下枠となる上窓部３２と、無目部材本体３１の下側に形成され、下窓２０の上枠となる下窓部３３とを備えている。つまり、１つの無目部材３０が、上窓１０の下枠としての機能と、下窓２０の上枠としての機能とを兼用している。このように１つの無目部材３０に両機能を兼用させたので、従来のように段窓を構成する窓ごとに上枠や下枠を設ける場合に比べて、部材点数が減少しコストを抑えることができる。
【００１８】
図４に示すように、上窓部３２は、無目部材本体３１の室外側（図４中の右側）から上方に膨出した膨出部３２Ａと、室内側（図４中の左側）から上方に突出した突出部３２Ｂとを備えている。これらの膨出部３２Ａおよび突出部３２Ｂは、前記Ｆｉｘ窓用の一対の膨出部１７に対応した形状で形成されている。下窓部３３は、前記引き違い窓用のヒレ部２７と略同様のヒレ部として構成されている。また、無目部材本体３１の上側で突出部３２Ｂの下側の側面には、長手方向に沿って延びる溝部３１Ａが形成されている。なお、溝部３１Ａの機能については後述する。
【００１９】
上窓側縦枠１２の表側面（窓内側の面）には、一対の膨出部１７の下端側を切り欠いたような凹部１８が形成されている。図５に示すように、凹部１８の上側部分には、水平方向に並んだ複数のねじ孔１８Ａが形成されている。また、図４に示すように、下窓側縦枠２２の表面側には、ヒレ部２７の上端側を切り欠いたような凹部２８が形成されている。図５に示すように、凹部２８の上側部分の左右側端部には、それぞれねじ孔２８Ａが形成され、下側部分には、中央にねじ孔２８Ｂが形成されている。
【００２０】
図４に示すように、上窓側縦枠１２および下窓側縦枠２２を上下に突き合わせると、両凹部１８，２８の表側面は面一となる。このような面一となった凹部１８，２８の表側面には、止水板４０を介して無目部材３０の端部が嵌合するように配置される。止水板４０は、無目部材３０の断面形状に応じた例えば正面視Ｈ字状に形成されている。このため、面材１４（図１）の表面に沿って無目部材本体３１の上部に溜まった雨水等が、縦枠１２，２２側へ入り込まないようになっている。また、止水板４０の四隅部分には、ねじ孔４１がそれぞれ形成されている。
【００２１】
図５に示すように、凹部１８の裏側面（窓外側の面）には、当接ヒレ部１６を切り欠いた切欠部１９が形成され、同様に、凹部２８の裏側面にも、当接ヒレ部２６を切り欠いた切欠部２９が形成されている。これらの切欠部１９，２９には、上窓側縦枠１２および下窓側縦枠２２に亘って補強板５０が嵌合するように取り付けられている。補強板５０は、無目部材本体３１の上下方向の見付寸法よりも、大きな長さ寸法で形成されている。補強板５０には、左右側の端縁に上下方向に並んだ第２ねじ孔としての複数の皿ねじ孔５１がそれぞれ形成され、皿ねじ孔５１には、テーパ面が形成されている。また、補強板５０の上端縁および下端縁の中央には、水平方向に並んだ第１ねじ孔としての複数のねじ孔５２がそれぞれ形成されている。これらのねじ孔５１，５２は、外形等の異なる複数種類の縦枠１２，２２のねじ孔１８Ａ，２８Ａ，２８Ｂの位置に対応した位置にそれぞれ形成されている。
【００２２】
このような無目部材３０は、以下のようにして組み立てられる。
まず、上窓側縦枠１２と下窓側縦枠２２とを上下に突き合わせた状態で、凹部１８，２８の裏側面の切欠部１９，２９に補強板５０をあてがう。次に、凹部１８に形成されたねじ孔１８Ａのうちの中央のねじ孔１８Ａと、補強板５０に形成された上端縁のねじ孔５２とに窓内側から第１ねじ部材であるねじ６１を挿通して、上窓側縦枠１２と補強板５０とを固定する。また、凹部２８の下側部分に形成されたねじ孔２８Ｂと、補強板５０のねじ孔５２とに窓内側から第１ねじ部材であるねじ６１を挿通して、下窓側縦枠２２と補強板５０とを固定する。このようにして、補強板５０で上窓側縦枠１２と下窓側縦枠２２とを連結する。
【００２３】
次に、凹部１８，２８に、止水板４０を介して無目部材３０を当接させ嵌合させる。この状態で、補強板５０の窓外側から、補強板５０の上側の２つの各皿ねじ孔５１と、凹部１８のねじ孔１８Ａと、止水板４０の上側のねじ孔４１とに第２ねじ部材である皿ねじ７１を挿通して無目部材３０を接合する。また、補強板５０の下側の２つの各皿ねじ孔５１と、凹部２８のねじ孔２８Ａと、止水板４０の下側のねじ孔４１とに、窓外側から第２ねじ部材である皿ねじ７１を挿通して無目部材３０を接合する。皿ねじ孔５１にはテーパ面が形成されているため、皿ねじ孔５１に皿ねじ７１を挿通すると、テーパ面に沿って皿ねじ７１の頭部が皿ねじ孔５１内に納まって皿ねじ７１の位置が固定される。このため、組み立て時の位置ずれ等を抑えることができる。以上のようにして、上窓側縦枠１２と下窓側縦枠２２と突合部分Ａ（ＡＬ，ＡＲ）に無目部材３０を取り付けると、図６に示すような窓サッシ１として組み立てられた状態となる。
【００２４】
次に、窓サッシ１の排水構造について説明する。
図７は、上窓側縦枠１２の下端部と下窓側縦枠２２の上端部との突合部分Ａ（ＡＬ）を窓内側から見た斜視図である。図７に示すように、無目部材３０を構成する上窓部３２の突出部３２Ｂには、溝部３１Ａに連通する開口部８０が形成されている。このため、例えば、矢印Ｘに示すように、面材１４（図１）の表面に雨水等が降りかかって、この面材１４の表面を伝って流れ落ちた雨水等は、止水板４０（図４）によって縦枠１２，２２側への浸水が跳ね返され、開口部８０から溝部３１Ａへと排水される。また、矢印Ｙに示すように、上枠１１（図１）に降りかかった雨水等は、当接ヒレ部１６に形成された被覆部１６Ａと柱２との隙間８１に入り込み、この隙間８１を排水経路として利用して、縦枠１２，２２に沿って下枠２１（図１）側まで流れ落ちる。この流れ落ちてきた雨水等は、被覆部１６Ａの下端を切り欠く等により形成された排水口８２から外部へと排水される。また、上窓側縦枠１２のガラス溝に入り込んだ雨水等も開口部８０から外部へと排出される。以上により、窓サッシ１に降りかかった雨水等を確実に排水できる。
【００２５】
本実施形態によれば、以下のような効果がある。
(１)１つの無目部材３０に、上窓１０の下枠としての機能と下窓２０の上枠としての機能とを兼用させる構成としたので、各窓ごとに枠体を用意する場合に比べて、部材点数が減少し、また、断面寸法が小さくなる。このため、コストを抑えることができるとともに、窓サッシ１の開口面積を大きくでき、窓サッシ１の外観をすっきりさせることができる。さらに、従来のような複数の横架材を接合することにより生じる隙間等が存在しないから、雨水等が侵入することを防ぐことができる。
【００２６】
(２)上窓側縦枠１２の当接ヒレ部１６と、下窓側縦枠２２の当接ヒレ部２６との突出寸法を同じ寸法としたので、上窓側縦枠１２および下窓側縦枠２２の位置が上下方向に揃うこととなり、窓サッシ１の意匠性をより一層向上させることができる。
【００２７】
(３)外形の異なる各種の縦枠１２，２２に対応して、補強板５０には、各ねじ孔５１，５２をそれぞれ複数個形成したので、１つの補強板５０で各種類の縦枠１２，２２に対応でき、補強板５０の汎用性を向上できる。また、皿ねじ７１を挿通する場合には、切欠部１９，２９に補強板５０をあてがうと、補強板５０に形成された複数の皿ねじ孔５１のうちのいくつか（本実施形態では４つ）が、上窓側縦枠ねじ孔１８Ａのねじ孔と、止水板４０のねじ孔４１と、無目部材３０のビス孔とに連通することとなるため、目視でどのねじ孔を使用するかが簡単に分かる。このため、この連通した皿ねじ孔５１を選んで、その皿ねじ孔５１に皿ねじ７１を挿通することにより、簡単に取り付け作業を行うことができる。また、補強板５０に形成されたねじ孔５２にねじ６１を挿通する場合についても、皿ねじ７１の場合と同様にして、簡単に取り付け作業を行うことができる。
【００２８】
(４)皿ねじ孔５１にテーパ面を形成したので、このテーパ面に沿って皿ねじ７１の頭部が納まることにより皿ねじ７１の位置が固定されるため、窓サッシ１を組み立て際のがたつきや位置ずれ等を抑えることができる。
【００２９】
(５)無目部材３０の端部に止水板４０を設置するとともに、無目部材３０に開口部８０および溝部３１Ａを含む排水構造を設けたので、面材１４を伝って流れてきた雨水を確実に外部へ排出できる。このため、縦枠１２，２２内に雨水が入り込んで、縦枠１２，２２内の汚損することを防止できる。
【００３０】
(６)柱２と縦枠１２，２２との間に当接ヒレ部１６，２６分の隙間を設け、さらに、下窓側縦枠２２の下端に排水口８２を形成したので、上枠１１の上面に降りかかった雨水を、両縦枠１２，２２に亘って延びる前記隙間を通して排水口８２から外部へと排出できる。このため、室内側等に雨水が入り込むことを防止できる。
【００３１】
なお、本発明は、前記実施形態には限定されない。前記実施形態では、上窓１０をＦｉｘ窓とするとともに、下窓２０を引き違い窓としたが、各窓１０，２０の構成は特に限定されず、例えば、上窓１０や下窓２０を、開き窓や辷り出し窓としてもよい。また、窓の段数も２段には限定されず、３段以上の複数段であってもよい。また、前記実施形態では、窓サッシを例えばサンルームに適用したが、サンルーム以外に適用してもよい。
【００３２】
前記実施形態では、補強板５０と縦枠１２，２２とをねじ６１で接合し、皿ねじ７１で補強板５０と無目部材３０とを接合する構成としたが、１つのねじ部材で、補強板５０と縦枠１２，２２と無目部材３０とを接合する構成としてもよい。また、補強板５０と無目部材３０とを皿ねじ７１で接合したが、ねじの形状は皿ねじに限定されない。
【００３３】
前記実施形態では、上窓側縦枠１２の下端部および下窓側縦枠２２の上端部を切り欠いたような凹部１８，２８を設け、この凹部１８，２８に無目部材３０の端部が嵌合する構成としたが、上窓側縦枠１２と下窓側縦枠２２との突合部分Ａに無目部材３０を当接させることができれば、特に凹部１８，２８を設けなくてもよい。
【００３４】
前記実施形態では、縦枠１２，２２の窓外側に補強板５０を取り付けたが、縦枠１２，２２の窓内側に取り付ける構成としてもよい。この場合、止水板４０が補強板５０を兼用するような構成としてもよい。また、補強板５０を板状に形成したが、その形状は特に限定されない。さらに、補強板５０の長さ寸法も特に前記実施形態の寸法には限定されない。
【図面の簡単な説明】
【００３５】
【図１】本発明の一実施形態に係る窓サッシを示す正面図である。
【図２】前記窓サッシを構成する上窓側縦枠を示す横断面図である。
【図３】前記窓サッシを構成する下窓側縦枠を示す横断面図である。
【図４】前記上窓側縦枠の下端部と前記下窓側縦枠の上端部とが突き合わされた突合部分を窓内側から見た分解斜視図である。
【図５】前記突合部分を窓外側から見た分解斜視図である。
【図６】前記突合部分を窓外側から見た斜視図である。
【図７】前記突合部分を窓内側から見た斜視図であり、排水構造を説明するための図である。
【符号の説明】
【００３６】
１    窓サッシ
２    柱
１０  上窓（上段側の窓）
１１  上枠
１２  上窓側縦枠（左右の縦枠）
１８，２８  凹部
１９，２９  切欠部
２０  下窓（下段側の窓）
２１  下枠
２２  下窓側縦枠（左右の縦枠）
３０  無目部材
３１  無目部材本体
５０  補強板（補強部材）
５１  皿ねじ孔（第２ねじ孔）
５２  ねじ孔（第１ねじ孔）
６１  ねじ（第１ねじ部材）
７１  皿ねじ（第２ねじ部材）
Ａ    突合部分（突き合わされた部分）
【図１】
2006219831.tif 000003
【図２】
2006219831.tif 000004
【図３】
2006219831.tif 000005
【図４】
2006219831.tif 000006
【図５】
2006219831.tif 000007
【図６】
2006219831.tif 000008
【図７】
2006219831.tif 000009